(57)【要約】光学測定装置較正システム及び方法が開示されている。１つの例示的な方法は、複数の光学測定装置（200）から中央データ格納部（124）において較正情報を受け取ることを含み、前記較正情報は、前記複数の光学測定装置上に格納された少なくともリアルタイム測定データを含み、前記複数の光学測定装置は各々、異なる印刷設備におけるものである。前記方法はまた、前記中央データ格納部における前記較正情報内の少なくとも１つの傾向を分析することを含む。前記方法はまた、前記複数の光学測定装置のうちの少なくとも１つに命令を発行して、前記少なくとも１つの傾向に基づいて前記少なくとも１つの光学測定装置内の較正パラメータを更新することを含む。
2013539859.tif 000002
【特許請求の範囲】
【請求項１】
複数の光学測定装置（200）から中央データ格納部（124）において較正情報を受け取り、ここで、該較正情報は、該複数の光学測定装置上に格納された少なくともリアルタイムの測定データを含み、該複数の光学測定装置はそれぞれ、異なる印刷設備におけるものであり、
前記中央データ格納部における前記較正情報内における少なくとも１つの傾向を分析し、及び、
前記複数の光学測定装置のうちの少なくとも１つに対して命令を発行して、該少なくとも１つの光学測定装置内の較正パラメータを、前記少なくとも１つの傾向に基づいて更新する  
ことを含む、方法。
【請求項２】
前記複数の光学測定装置（200）のうちの１つがオンラインである時に、前記複数の光学測定装置のうちの１つから登録情報を受け取る
ことを更に含み、及び、
前記命令を発行することが、前記装置登録情報に部分的に基づくものであり、及び、共有する装置較正情報に部分的に基づくものであることからなる、請求項１に記載の方法。
【請求項３】
１つの光学測定装置（200）を基準として指定し、及び、
前記異なる印刷設備における一貫性のある較正のために、他の光学測定装置を前記基準と比較する
ことを更に含むことからなる、請求項１に記載の方法。
【請求項４】
前記較正情報の一部分が閾値境界の外側である時には、前記中央データ格納部から該較正情報の該一部分を除去することを更に含むことからなる、請求項１に記載の方法。
【請求項５】
以下の使用事例、すなわち、
第１の使用事例であって、前記複数の光学測定装置（200）が、前記中央データ格納部における前記較正情報の分析に基づいて、前記異なる印刷設備におけるフィールド内において最初に較正されることからなる、第１の使用事例と、
第２の使用事例であって、前記複数の光学測定装置（200）が、既に較正されており、及び、前記複数の光学測定装置の外部の制御パラメータに基づいて、前記複数の光学測定装置が更新されることからなる、第２の使用事例と、
第３の使用事例であって、前記異なる印刷設備の各々に特有の、目標とされる展開中の一貫性のあるインク配合についての光学測定値を、前記複数の光学測定装置（200）が提供することからなる、第３の使用事例
との各々において動作することを更に含むことからなる、請求項１に記載の方法。
【請求項６】
異なる印刷設備における複数の光学測定装置（200）と共に大部分が使用されるシステムであって、
前記異なる印刷設備における前記複数の光学測定装置との接続を確立するよう構成されたデータ格納部（124）であって、前記複数の光学測定装置から較正情報を受け取るデータ格納部と、
コンピュータ可読記憶装置上に格納されたプログラムコードを実行するよう構成されたプロセッサであって、該プログラムコードが実行される時には、
前記データ格納部からの前記較正情報にアクセスし、
前記較正情報内における少なくとも１つの傾向を分析し、ここで、該少なくとも１つの傾向が、前記複数の光学測定装置からの少なくともリアルタイムの測定データに基づくものであり、及び、
前記複数の光学測定装置のうちの少なくとも１つに対して更新命令を発行して、前記少なくとも１つの光学測定装置内の較正パラメータを、前記少なくとも１つの傾向に基づいて更新する
ことからなる、プロセッサ
とを備える、システム。
【請求項７】
新規の光学測定装置（200）から受け取った装置登録情報に部分的に基づいて、及び、共有する装置較正情報に部分的に基づいて、該新規の光学測定装置に対する登録命令を発行するために前記プログラムコードが更に実行可能であることからなる、請求項６に記載のシステム。
【請求項８】
前記異なる印刷設備にわたる一貫性のある較正のために、前記複数の光学測定装置（200）を、基準の光学測定装置と比較するために前記プログラムコードが更に実行可能であることからなる、請求項６に記載のシステム。
【請求項９】
スペック外の光学測定装置に関連付けられた較正情報の少なくとも一部分を、該スペック外の光学測定装置（200）からの該較正情報が閾値境界内になるまで、前記分析から排除するために、前記プログラムコードが更に実行可能であることからなる、請求項６に記載のシステム。
【請求項１０】
以下の使用事例、すなわち、
第１の使用事例であって、前記複数の光学測定装置（200）が、前記中央データ格納部における前記較正情報の分析に基づいて、前記異なる印刷設備におけるフィールド内において最初に較正されることからなる、第１の使用事例と、
第２の使用事例であって、前記複数の光学測定装置（200）が、既に較正されており、及び、前記複数の光学測定装置の外部の制御パラメータに基づいて、前記複数の光学測定装置が更新されることからなる、第２の使用事例と、
第３の使用事例であって、前記異なる印刷設備の各々に特有の展開中の一貫性のあるインク配合についての光学測定値を、前記複数の光学測定装置（200）が提供することからなる、第３の使用事例
との各々において動作が可能であることからなる、請求項６に記載のシステム。
【請求項１１】
リアルタイム光学データを収集する少なくとも１つの光学測定装置（200）のために構成されたネットワーク較正システムであって、
少なくとも前記リアルタイム光学データを含む較正情報を受け取るために、少なくとも１つの光学測定装置に対して伝達可能に結合するよう構成された中央データ格納部（124）と、
前記中央データ格納部に動作可能に関連付けられたプロセッサであって、コンピュータ可読記憶装置上に格納されたプログラムコードを実行して、前記較正情報内における少なくとも１つの傾向を分析する、プロセッサと、
前記プロセッサからの出力に動作可能に関連付けられた送信ユニットであって、前記少なくとも１つの傾向に基づいて前記少なくとも１つの光学測定装置内の較正パラメータを更新するために、前記少なくとも１つの光学測定装置に対してあるコンフィギュレーション命令を発行するよう構成されている、送信ユニット
とを備える、ネットワーク較正システム。
【請求項１２】
前記少なくとも１つの光学測定装置（200）からの装置登録情報に部分的に基づいて、前記送信ユニットが、初期化命令を発行するよう更に構成されていることからなる、請求項１１に記載のネットワーク較正システム。
【請求項１３】
光学的な基準
を更に含み、及び、
異なる動作条件下での一貫性のある較正のために、前記少なくとも１つの光学測定装置（200）が、前記光学的な基準と比較されることからなる、請求項１１に記載のネットワーク較正システム。
【請求項１４】
前記少なくとも１つの光学測定装置（200）がある閾値境界の外側で動作している時には前記中央データ格納部（124）から前記較正情報の一部分を除去するためのフィルタを更に備える、請求項１１に記載のネットワーク較正システム。
【請求項１５】
以下の使用事例、すなわち、
第１の使用事例であって、前記複数の光学測定装置（200）が、前記中央データ格納部における前記較正情報の分析に基づいて、前記異なる印刷設備におけるフィールド内において最初に較正されることからなる、第１の使用事例と、
第２の使用事例であって、前記複数の光学測定装置（200）が、既に較正されており、及び、前記複数の光学測定装置の外部の制御パラメータに基づいて、前記複数の光学測定装置が更新されることからなる、第２の使用事例と、
第３の使用事例であって、前記異なる印刷設備の各々に特有の展開中の一貫性のあるインク配合についての光学測定値を、前記複数の光学測定装置（200）が提供することからなる、第３の使用事例
との各々において動作するよう構成されている、請求項１１に記載のネットワーク較正システム。
【発明の詳細な説明】
【背景技術】
【０００１】
背景
写真、パンフレット、及び教材から製品包装までのあらゆるものを印刷することによって、印刷サービスプロバイダ（ＰＳＰｓ）は、従来の印刷サービスの要求を実現させる。例えば、同じ銘柄（ブランド）及びタイプのシリアル（cereal）の、全てのシリアル箱が、同じか又は類似の包装（例えば、色、色調（トーン）、輝度（又は明度）、など）を有しているように見えることとなるように、製品外観の一貫性（又は不変性）は重要である。現代のＰＳＰ設備では、サンプル及び実際の印刷された製品を走査するために、光学測定装置が使用される。出荷前に所望の製品外観を保証することを支援するために、この光学測定データは、典型的には、製品を印刷している際中の様々な時に、品質保証（ＱＡ：Quality Assurance）職員によりチェックされる。
【図面の簡単な説明】
【０００２】
【図１】光学測定装置較正用に実現され得る、例示的なネットワークで結ばれた較正システムの上位レベル図を示す図である。
【図２】１つの例示的な光学測定装置の上位レベル図を示す図である。
【図２ａ】図２内に示された例示的な光学測定装置の内部構成要素を示す簡略化された回路図を示す図である。
【図３】光学測定装置較正用に実現され得る例示的なプログラムコードを示すブロック図を示す図である。
【図４】光学測定装置較正用に実現され得る例示的な動作を示すフローチャートを示す図である。
【実施例】
【０００３】
詳細な説明
多くの要因（ファクター）が、光学測定データに影響を及ぼす可能性がある。ほんのわずかだけの例を挙げると、温度、湿度、多くの下地在庫（substrate stock）、インク配合、及びプリンター機器（マシン）における、変動（変化）が、印刷された製品の外観に影響を及ぼす。従って、各印刷設備は、典型的には、光学測定装置を較正するための基準（又は標準、標準規格）を維持し、所定のスケジュールにおいて、光学測定装置の較正を更新する。較正ドリフト（又は較正ぶれ）は、概して、時間の経過とともに生じる結果となり、それによって、光学測定装置がもはや正確な読み出し値を生成していないことから、実際には、製品外観がもはや期待値を満たしていない時でも、光学測定データが、満足できるもののように思わせられる場合がある。
【０００４】
較正ドリフトを識別することを支援するために、ＱＡ職員が、時々、光学測定データを、以前の較正データと比較するために集計表（スプレッドシート）に転送する場合がある。しかしながら、このフィードバックは、典型的には、実際は遅延する。このような限定されたデータに基づいて遅延したフィードバックは、結果として、廃棄されるか又はリサイクルされることが必要な既に印刷された製品をもたらす可能性があるか、或いは、更に悪いことには、客先に対して既に配送してしまったような戻すか又はリコールする製品をもたらす可能性がある。
【０００５】
ＰＳＰｓは、典型的には、自律モードにおいて、色管理を処理する。すなわち、各々の光学測定装置が、独立型（スタンドアロン）ユニットであり、単独で（分離して）測定を実施するように使用される。測定の分析もまた、典型的には、個々ベースでなされる。中央データ管理システムを介して互いに伝達可能に結合された「選択的な」光学測定装置を有する実施形態が、本明細書内において開示されている。該中央データ管理システムには、コンピュータ可読記憶装置に関連付けられた少なくともプロセッサ及び中央データ格納部を含めることができ、該プロセッサは、プログラムコードを実行して、１つか又は複数の光学測定装置からの較正情報を分析して、効率を高めるために該光学測定装置に対してリアルタイムのフィードバックを提供して、共有するＱＡ基準が満たされることを保証することを支援するよう構成されている。
【０００６】
例示的な実施形態は、未較正の（例えば、新規の）光学測定装置の間における変動値及び較正値を推定することと、異なる光学測定装置間における平均色複製を推定することと、異なる光学測定装置間において既知の装置／下地／インクのセットに一致する初期の及び改良されたスポット色を推定することと、に関連した困難さ及び／又は出費を低減するか又は完全に削減することができる。例示的な実施形態はまた、ＱＡ監査を高めることもでき、複数の印刷設備にわたってＱＡを標準化（規格化）することもできる。図面に関連して、これらの及び他の特徴が、次により詳細に説明されることとなる。
【０００７】
図１は、光学測定装置の較正のために実現され得る、１つの例示的なネットワークで結ばれた較正システム１００の上位レベル図である。該ネットワークで結ばれた較正システム１００には、ローカルエリアネットワーク（ＬＡＮ）及び／又はワイドエリアネットワーク（ＷＡＮ）のような、１つか又は複数の通信ネットワーク１１０を含めることができる。ホスト１２０は、ネットワークで結ばれた較正システム１００内において実現され得る。
【０００８】
ホスト１２０には、データ格納部１２４に動作可能に関連付けられたサーバ１２２のような、１つか又は複数のコンピューティングシステムを含めることができる。図３に関連してより詳細に下記において説明されるように、ホスト１２０は、ソフトウェアにおいて実現され且つコンピュータ可読記憶装置上に格納されたホストアプリケーション１３０を実行することができる。ホスト１２０はまた、他のコンピューティングか又はデータ処理システム又は装置に対してサービスを提供することができる。例えば、ホスト１２０はまた、トランザクション処理サービス、電子メールサービス（例えば、通知のために）、などを提供することができる。
【０００９】
ホスト１２０は、インターネットサービスプロバイダ（ＩＳＰ）のような通信接続を介してネットワーク１１０上において提供され得る。ホスト１２０は、ネットワーク１１０を介して直接的にか、或いはネットワークサイト１４０を介して、アクセスされ得る。例示的な一実施形態において、ネットワークサイト１４０にはまた、サードパーティの場（又はスポット）におけるウェブ・ポータル（例えば、ある商業的なインターネットサイト）を含めることもでき、該ウェブ・ポータルが、ホスト１２０との接続を（例えば、バック・エンド・リンク１４５を介して）容易にする。別の例示的な実施形態では、ホスト１２０への直接的なリンクを容易にするために、ポータル・アイコンが（例えば、サードパーティの場（又はスポット）において、コンピュータ上か又はデスクトップ機器上などにプリインストールされて）提供され得る。
【００１０】
本明細書内において使用される用語「クライアント」１５０は、コンピューティングデバイスのことを指し、該コンピューティングデバイスを通じて、１人か又は複数のユーザが、ホストサービスにアクセスすることができる。クライアントは、光学測定装置１５２自体とすることもでき、及び／又は、ローカルサーバか或いは（光学測定装置（複数可）を局所的にホスト１２０に対して接続する）他のコンピューティングデバイス１５４とすることもできる。いずれのケースでも、クライアント１５０は、少なくとも光学測定装置１５２を含み、ほんのわずかな例を挙げると、クライアント１５０にはまた、スタンドアロンのパーソナルデスクトップか又はラップトップコンピュータ（ＰＣ）か、ワークステーションか、携帯情報端末（ＰＤＡ）か、いわゆる「スマートフォン」か、又は電化製品のような、任意の広範囲な様々なコンピューティングシステム１５４を含めることができる。まさに、スマートフォンは、光学測定データを集めるための、及び、ホスト１２０と情報を送受するための光学測定装置として使用され得る。
【００１１】
任意のイベントにおいて、クライアントコンピューティングデバイスには、ネットワーク１１０を介して直接的にか、又は間接的に（例えば、ネットワークサイト１４０を介して）、ホストアプリケーション１３０に対する接続を管理するのに少なくとも十分なデータ処理能力の程度（度合い）を含めることができる。クライアントコンピューティングデバイスは、無線か、ケーブルか、又は、インターネットサービスプロバイダ（ＩＳＰ）を介したＤＳＬ接続、のような通信接続を介してネットワーク１１０に接続することができる。クライアントコンピューティングデバイスにはまた、他の構成要素及び機能（例えば、コンピュータ可読記憶装置）を含めることもできる。
【００１２】
図２は、分光光度計か或いは比色計（又は測色計）として具現化され得るような、１つの例示的な光学測定装置２００（例えば、図１内の装置１５２）の上位レベル図である。図２ａは、図２内に示された例示的な光学測定装置２００の内部構成要素を説明する簡略化された回路図２５０である。その基本形態において、光学測定装置２００は、光源２１０（但し、自然光か又は背景光が使用されている場合を除く）と、レンズ２２０（例えば、分析色スペクトラムへと分光させるためのプリズム）と、アパーチャ２３０（例えば、サンプルに到達する光の量を制御するための調整可能なアパーチャ）と、光検出器（複数可）又は光センサ（複数可）２４０と、を含む。使用の際、分析されることとなるサンプル２０１が、典型的には、アパーチャ２３０と、光センサ（複数可）２４０との間の光路に沿って挿入され得る。光センサ２４０は、光信号を、電気信号へと変換する。増幅器２５０及びフィルタ２５５が、該電気信号を増幅させるために、及び、例えばディスプレイ２６０に対して提供される出力内における任意のノイズをそれぞれフィルタリングするために提供され得る。
【００１３】
より洗練された（又はより複雑な、より高度な）回路構成及び／又はファームウェアもまた提供され得る（例えば、スペクトルデータのフーリエ変換を実施するために）。しかしながら、これらは、本明細書内において詳細には説明されない。何故ならば、光学測定装置２００の正確な構成は、必要とされないからであり、すなわち本実施形態の限定であるからである。つまり、本明細書内の教示に精通することになった後には、当業者であれば容易に理解されるであろうように、本明細書内において記載された実施形態は、今現在既知のか又は後に開発される任意の適合可能な光学測定装置によって実現され得る。
【００１４】
上述の基本的な構成要素に加えて、光学測定装置２００にはまた、オンボード記憶装置２７０（例えば、ＲＡＭか、又はＳＤカード）と、通信（又は伝達）モジュール２８０とを含めることができる。一実施形態において、通信モジュール２８０は、（図１内に示されたコンピュータ１５４のような）ローカル送信装置との有線又は無線接続を容易にすることができ、及び、該ローカル送信装置は、ホスト（例えば、図１に関連して上述のホストアプリケーション１３０を実行するホスト１２０）とのリモート接続を確立するよう構成される。別の実施形態では、通信モジュール２８０は、ホストとの直接的な通信接続を容易にさせることができる。光学測定装置２００にはまた、他のセンサ（例えば、温度／湿度センサ、背景光センサ、など）を含めることもできる。  
【００１５】
使用の際、光学測定装置２００は、所望の出力を生成するために、較正されること及び／又は再較正されることが必要な場合がある。光学測定装置２００はまた、印刷設備間の調整のために、及び、下記により詳細に記載される他の利用法のために、実施され得る。任意のイベント中、ホストが、該ホストにおいて実行しているプログラムコードによって分析を行うために、較正情報及び／又は他のデータを、光学測定装置からデータ格納部において受け取る。
【００１６】
図３は、光学測定装置の較正用に実現され得る例示的なプログラムコード３００（例えば、図１の上記説明において言及されたホストアプリケーション１３０）を説明するブロック図である。プログラムコード３００は、コンピュータソフトウェア、ウェブで有効な又はモバイルアプリケーションか又は「apps」、いわゆる「ウィジェット」、及び／又は、ファーウェアのような組み込みコードを含む（但しこれらに限定されない）、任意の適合可能な形態において実現され得る。本明細書内の説明を目的として多くのコンポーネントか又はモジュールを含むプログラムコードが図３内に示されているが、該プログラムコードは、そのように限定されない。該プログラムコードには、追加的なコンポーネント、モジュール、ルーチン、サブルーチン、などを含めることができる。追加的には、１つか又は複数の関数を、単一のコンポーネントか又はモジュールへと組み合わせることができる。
【００１７】
１つの例示的な実施形態において、プログラムコードには、データアクセスモジュール３１０を含めることができる。データアクセスモジュール３１０は、ホストにおけるデータ格納部からの較正情報及び／又は他のデータにアクセスするために実行され得る。
【００１８】
色彩科学（例えば、標準比較、インク「レシピ」生成、プロフィール）と、データ格納部において光学測定装置の各々から受け取った較正情報の他の分析（例えば、傾向（トレンド）、推定、及び統計データ展開）とを実現するための分析モジュール３２０が提供され得る。分析モジュール３２０はまた、クライアント（例えば、光学測定装置）に対して発行され得る命令を生成することができる。これらの命令には、（例えば、光学測定装置内の較正パラメータを更新するための）較正更新、印刷処理更新（例えば、インク「レシピ」に対するか、或いは、乾燥時間などの処理パラメータに対する、調整）、などを含めることができる。分析モジュール３２０はまた、履歴及びリアルタイムデータと共に使用され得る。
【００１９】
分析モジュール３２０はまた、システム内において新たな光学測定装置を登録するために使用され得る。１つの例示的な実施形態において、オンラインが光学測定装置にもたらされた時（例えば、初めての時か、或いは、修理に後続するリセット状態の後）に、分析モジュールは、光学測定装置のうちの１つから登録情報を受け取ることができる。分析モジュール３２０は、装置登録情報に部分的に基づく、及び、共有する装置較正情報に部分的に基づく、命令を生成することができる。登録はまた、「選択」アプローチを可能にすることができる。該「選択」アプローチにおいて、１つか又は複数の光学測定装置を登録することができ、及び他の光学測定装置を登録しないことができる。そのような一実施形態は、特定のプロジェクトか又は顧客のために用いられる装置を選択するために使用され得る。同様に、プロジェクト及び／又は顧客の間でデータを混ぜないようにするために、特定の装置が、ある特定のプロジェクトか又は顧客と共にのみ使用するために登録され得る。
【００２０】
分析モジュール３２０はまた、閾値境界を維持するために使用され得る。該閾値境界には、適正に動作することとなるよう光学測定装置がみなされるための、及び再較正がなされることを必要としないための、動作パラメータを含めることができる。
【００２１】
通信モジュール（又は伝達モジュール）３３０は、クライアント（例えば、光学測定装置）との通信（又は伝達）を容易にするために提供され得る。例えば、通信モジュール３３０は、分析モジュール３２０によって生成された命令を発行することができる。
【００２２】
１つか又は複数の使用事例を実施するために、プログラムコードが実行され得る。他の使用事例もまた期待（予期）されるが、以下の使用事例が模範として提供される。
【００２３】
第１の使用事例において、複数の光学測定装置が、中央データ格納部における較正情報の分析に基づいて、異なる印刷設備におけるフィールド内において最初に較正される。ある特定の印刷製造業者のための１つか又は複数の印刷設備にわたって新規のシステムが配備される時に、最初の較正が行われ得る。ある特定の印刷製造業者のための既存の印刷設備に対して新規の印刷設備が追加される時にもまた、最初の較正が行われ得る。既存の光学測定装置を置き換えるためにか、或いは、追加的な光学測定装置（複数可）を追加するために、新規の光学測定装置にオンラインがもたらされる時にもまた、最初の較正が行われ得る。使用されている光学測定装置のうちの１つが操作不可能になっているか或いは再較正されることを必要としているはずのダウンタイムを低減するためにか又は完全に削減するために、例えば、追加的な光学測定装置（複数可）が、バックアップ装置として追加され得る。追加的な光学測定装置（複数可）が、大きな印刷設備において、異なるステーションにおいて（例えば、異なるフロアか、又は異なる位置において）使用するために追加され得る。第１の使用事例の考慮部分はまた、内部制御パラメータ（すなわち、光学測定装置に対する内部）に基づいて、光学測定装置の較正を更新することであり、例えば、ドリフトに起因してか或いは閾値境界の外側のドリフトを防ぐことに起因して、光学センサを交換すること、及びこれらに類することである。
【００２４】
第２の使用事例では、複数の光学測定装置が、（例えば、第１の使用事例のように）既に較正されている。該複数の光学測定装置が、次いで、外部の制御パラメータ（すなわち、光学測定装置の外部）に基づいて更新される。外部の制御パラメータには、動作パラメータを変更すること（例えば、オンラインがもたらされている状態の新規の印刷マシンが、インク又は下地在庫についてのベンダーを変更すること）か、環境要因（例えば、季節的な変化）か、或いは、（例えば、顧客の要望に基づいて）異なるＱＣ基準を実施すること、及びこれらに類するものを含めることができる（但し、これらに限定されない）。
【００２５】
第３の使用事例では、異なる印刷設備の各々に特有の展開中の一貫性のあるインク配合についての光学的な測定値を、複数の光学測定装置が提供する。このケースでは、ある特定の印刷設備において光学測定装置（複数可）によって収集されたデータは、中央データ格納部において受け取られて、基準（標準）及び／又はその他の印刷設備と比較して分析される。印刷「レシピ」に対する調整値（例えば、インクの量及び色、乾燥時間）は、特定の印刷設備に特有の情報（例えば、下地在庫のサイン、環境条件、印刷マシンパラメータ）に基づいて決定されて、該印刷設備に配送される。このことは、たとえ、複数の印刷設備にわたって印刷ジョブが分配されたとしても、印刷製品が印刷ジョブ全体についてＱＣ基準（標準）を満たすこととなるように、ある特定の印刷ジョブを処理する各印刷設備ごとに繰り返され得る。
【００２６】
例えば、印刷ジョブは、世界的規模の（ワールドワイドな）複数の設備において使用されることとなる、大企業のレターヘッドについてのものとすることができる。単一の印刷設備においてレターヘッドの全てを印刷するのではなく、ＰＳＰは、複数の印刷設備において（例えば、顧客の様々な設備に近い位置において）そのオーダを印刷することがより効率的であるということを決定することができる。顧客は、ある基準（標準）に従って彼らのロゴが印刷されるように要求することができ、該基準は、該ロゴが「工場の青色」カラーとなるということを含む。異なる印刷設備における（例えば、下地在庫、環境、印刷マシンにおける）変動とは無関係に、ある一貫性のある色を保証することを支援するために、異なる印刷設備の各々からの中央データ格納部内の光学測定データが、分析され得り、及び、結果として生じる印刷製品がある一貫性のある外観を有することとなるように、異なる印刷設備におけるこれらの変動に適応させるために、印刷「レシピ」が調整され得る。この例では、レターヘッドが、どの印刷設備においてレターヘッドが印刷されたかとは無関係に、同じ色となるように見える「工場の青色」カラーにおいて印刷される。該「工場の青色」目標カラーは、１１色の基本色インクのうちの３つの所定の混合比から成るものとすることができ、目標カラーを生成するために、ある特定量の各々の該３つインクが画定される。
【００２７】
続ける前に、上述のシステム及び装置は、光学測定装置の較正のために実現され得る様々な実施形態の単なる見本となるように意図されているにすぎないということに留意されたい。まだ他の物理的な実施形態が、期待（予期）され、及び、所望の実現形態と、様々な構成要素についての技術の現在の状態とに、少なくとも部分的に基づいて、本明細書内における教示に詳しくなった後には、当業者であれば容易に明らかとなるであろう。
【００２８】
図４は、光学測定装置の較正のために実施され得る例示的な動作を説明するフローチャートである。動作４００は、１つか又は複数のコンピュータ可読媒体上の論理命令として具現化され得る。プロセッサ上において実行された時には、該論理命令によって、汎用コンピューティングデバイスが、記載された動作（オペレーション）を実行する専用マシンとしてプログラムさせられることとなる。例示的な一実現形態において、図内に示された構成要素及び接続が使用され得る。
【００２９】
動作４１０内において、複数の光学測定装置から中央データ格納部において較正情報が受け取られる。該複数の光学測定装置が、異なる印刷設備において物理的に配置され得る。該較正情報には、該光学測定装置上に格納された少なくともリアルタイムの測定データを含めることができる。
【００３０】
動作４２０内において、中央データ格納部における較正情報が、少なくとも１つの傾向について分析される。動作４３０内において、ある命令が、複数の光学測定装置のうちの少なくとも１つに発行されて、該少なくとも１つの傾向に基づいて、該少なくとも１つの光学測定装置内の較正パラメータが更新される。
【００３１】
本明細書内において示され及び記載された動作は、光学測定装置較正の例示的な実施形態を説明するために提供されている。該動作は、示された順序付けには限定されないということに留意されたい。更なる他の動作もまた下記のように実施され得る（但し、これに限定されない）。
【００３２】
例示を目的として、前記方法にはまた、光学測定装置が初めてオンラインになった時に、該光学測定装置から登録情報を受け取ることを含めることができる。該登録情報には、装置名称、製造業者、製造日、光学レンジ、透過スペクトル、電力要件、などを含めることができる（但し、これらに限定されない）。次いで、初期化処理を実行することができ、ここで、初期化命令が、光学測定装置に発行される。該初期化命令は、装置登録情報に部分的に基づくものとすることができ、及び、光学測定装置に発行され得る共有する装置較正情報に部分的に基づくものとすることができる。該初期化命令には、初期較正情報、ネットワーク情報、光学測定データを伝達するためのタイミング情報、などを含めることができる（但し、これらに限定されない）。
【００３３】
別の例では、前記方法にはまた、１つの光学測定装置を基準（標準）として指定することと、異なる印刷設備における一貫性のある較正のために、他の光学測定装置を該基準（標準）と比較することと、を含めることができる。基準（標準）として指定された光学測定装置はまた、主要な印刷設備においてか又は管理センターにおいて物理的に配置され得り、及び、日常の摩損の影響を低減するために、日々の動作においては使用されない。基準（標準）として指定された光学測定装置はまた、既知の条件（例えば、温度、湿度、など）下において維持され得り、及び、異なる印刷設備における条件内の変動について、他の光学測定装置を調整するために使用され得る。基準（標準）として指定された光学測定装置はまた、印刷設備のうちの１つにおいて使用されるよりも前に、新たな光学測定装置を初期化するために使用され得る。
【００３４】
別の例では、前記方法にはまた、較正情報の一部分が閾値境界の外側である時には、中央データ格納部から該較正情報の該一部分を除去することを含めることができる。１つか又は複数の期待値（例えば、視覚的に受容可能な色、色相、彩度、輝度（又は明度）、など）を満足する印刷された製品が結果として生じるように決定された光学測定装置からの出力の範囲を、該閾値境界には含めることができる。従って、光学測定装置の較正は、この範囲内においてドリフトする（又はずれる）可能性があり、その出力は、ＱＣ基準（標準）を保証するために依然として用いられ得る。しかしながら、較正が、この範囲の外側にドリフトした時に、光学測定装置が再較正される前に、光学測定装置からの出力が、中央データ格納部において依然として受け取られる可能性がある。そのような出力は、その他の光学測定装置からの出力の分析に悪影響を及ぼす可能性があるので、中央データ格納部から除去（又は削除）され得る（又は、別様には、中央データ格納部内において指定／補償され得る）。
【００３５】
示された及び記載された例示的な実施形態は、説明を目的として提供されており、それらは、制限することを意図していないということに留意されたい。更なる他の実施形態もまた、光学測定装置較正のために期待（予期）される。
【図１】
2013539859.tif 000003
【図２】
2013539859.tif 000004
【図２ａ】
2013539859.tif 000005
【図３】
2013539859.tif 000006
【図４】
2013539859.tif 000007
【国際調査報告】
2013539859.tif 000008
2013539859.tif 000009